(57)【要約】  マクロ基地局装置よりスモールセルへの接続指示が移動局装置へ送信されてから、ピコ基地局装置が移動局装置のスケジューリングを行うまでのオーバヘッドが増加する問題があった。移動局装置に制御情報を送信する第１のセルを構成する第１の基地局装置であって、前記第１のセル内に第２の基地局装置が構成する第２のセルが存在し、前記第１の基地局装置が前記第１のセル内の移動局装置に参照信号の送信の指示をする制御情報内に、前記第１の基地局装置と第２の基地局装置のいずれかに参照信号を送信することを指定する情報と、前記制御情報内で指示された基地局装置に参照信号の送信で用いる送信パラメータの情報を含み、前記移動局装置へ前記制御情報を通知する。
2014069599.tif 000002
【特許請求の範囲】
【請求項１】
移動局装置に制御情報を送信する第１のセルを構成する第１の基地局装置であって、前記第１のセル内に第２の基地局装置が構成する第２のセルが存在し、前記第１の基地局装置が前記第１のセル内の移動局装置に参照信号の送信の指示をする制御情報内に、前記第１の基地局装置と第２の基地局装置のいずれかに参照信号を送信することを指定する情報と、前記制御情報内で指示された基地局装置に参照信号の送信で用いる送信パラメータの情報を含み、前記移動局装置へ前記制御情報を通知することを特徴とする第１の基地局装置。
【請求項２】
前記第１の基地局装置と第２の基地局装置のいずれかに参照信号を送信することを指定する情報は、セルＩＤであることを特徴とする請求項１の第１の基地局装置。
【請求項３】
前記第１の基地局装置と第２の基地局装置のいずれかに参照信号を送信することを指定する情報は、搬送波周波数であることを特徴とする請求項１の第１の基地局装置。
【請求項４】
前記第１の基地局装置は、移動局装置に前記第１の基地局装置へ送信する参照信号のパラメータと第２の基地局装置へ送信する参照信号のパラメータの両方を予め通知することを特徴とする請求項１の第１の基地局装置。
【請求項５】
前記第１の基地局装置は、参照信号の送信指示する制御情報の種類により参照信号を送信する基地局装置を指定することを特徴とする請求項４の第１の基地局装置。
【発明の詳細な説明】
【技術分野】
【０００１】
本発明は、基地局装置に関する。
【背景技術】
【０００２】
第３．９世代の携帯電話の無線通信システムであるＬＴＥ（Ｌｏｎｇ  Ｔｅｒｍ  Ｅｖｏｌｕｔｉｏｎ）システムの標準化が完了し、現在は第４世代の無線通信システムの１つとして、ＬＴＥシステムをより発展させたＬＴＥ−Ａ（ＬＴＥ−Ａｄｖａｎｃｅｄ、ＩＭＴ−Ａなどとも称する。）システムの標準化が行われている。【０００３】
ＬＴＥシステム（ＬＴＥ  Ｒｅｌ.８）のアップリンク（移動局装置から基地局装置への伝送）では、基地局装置が移動局装置へ無線リソース割当の際に用いる伝搬路情報を把握するために、移動局はサウンディング参照信号（ＳＲＳ：Ｓｏｕｎｄｉｎｇ  Ｒｅｆｅｒｅｎｃｅ  Ｓｉｇｎａｌ）を基地局に送信する。移動局装置は、ＳＲＳ送信に用いるパラメータ（パラメータセットとも呼称される）をＲＲＣ（Ｒａｄｉｏ  Ｒｅｓｏｕｒｃｅ  Ｃｏｎｔｒｏｌ）シグナリングにより通知され、パラメータセットに基づき送信する。ＬＴＥシステムにおける移動局装置は、一定間隔で送信するＳＲＳのＰｅｒｉｏｄｉｃ−ＳＲＳ（Ｐ−ＳＲＳ）をサポートしている。【０００４】
ＬＴＥ−Ａシステム（ＬＴＥ  Ｒｅｌ.１０）では、アップリンクでのマルチアンテナ伝送をサポートすることに加え、ＬＴＥと比較して１つの基地局が、より多くのユーザを収容することが要求されている。ＬＴＥの一定間隔で送信するＰ−ＳＲＳでは、ＲＲＣ層で指定された特定の送信ルールで周期的に送信するだけであることから、マルチアンテナのサポートや多くのユーザ数を収容するために必要なスケジューリングの柔軟性がない。そのため、ＬＴＥ−Ａシステムではアップリンクのサウンディングが必要なときのみ端末装置にトリガをかけ、必要なときに必要な無線リソースのみを使ってＳＲＳを送信可能なＡｐｅｒｉｏｄｉｃ−ＳＲＳ（Ａ−ＳＲＳ）が導入されている。Ａ−ＳＲＳのトリガは、物理層の制御信号であるＤＣＩ（Ｄｏｗｎｌｉｎｋ  Ｃｏｎｔｒｏｌ  Ｉｎｆｏｒｍａｔｉｏｎ）に付加されている送信指示情報に基づいて送信タイミングが決定される。Ａ−ＳＲＳの送信指示情報は、ＤＣＩフォーマット０、１Ａ、２Ｂ、２Ｃに１ビット存在し、ＤＣＩフォーマット４に２ビット存在する。Ａ−ＳＲＳ送信に用いるパラメータセットもＲＲＣシグナリングで通知され、ＤＣＩフォーマット０で送信指示した場合とＤＣＩフォーマット１Ａ、２Ｂ、２Ｃで送信指示した場合で異なるパラメータセットを用意することができる。さらに、ＤＣＩフォーマット４に２ビット存在することから、Ａ−ＳＲＳを送信しない場合と異なる３つのパラメータセットでＡ−ＳＲＳを送信指示する場合の４通りを示すことができる。そのため、移動局装置は、最大５つの異なるパラメータセットを持つことが可能である。このパラメータセットには、サイクリックシフトの回転量、ＩＦＤＭのＣｏｍｂの位置、アンテナポート数、ＳＲＳ送信帯域幅、周波数位置の情報が含まれている（非特許文献１参照）。【０００５】
一方、Ｒｅｌ.１２ではマクロ基地局装置（カバレッジの広い基地局装置）の構成するマクロセル内にピコ基地局装置が構成するスモールセルを構成し、マクロ基地局装置に接続する移動局装置の数などにより、特定の移動局装置に対してピコ基地局装置へ接続するよう指示し、データ伝送を行うことが検討されている。ピコ基地局装置への接続指示を行うことで、マクロ基地局装置はデータ伝送をピコ基地局装置へオフロードすることができ、セル全体のスループット向上が可能となる。
【先行技術文献】
【非特許文献】
【０００６】
【非特許文献１】３ＧＰＰ  ＴＳ  ３６．３３１  Ｖ１０．４．０
【発明の概要】
【発明が解決しようとする課題】
【０００７】
マクロ基地局装置が移動局装置に対してスモールセルへの接続指示を行う場合、ピコ基地局装置は移動局装置より送信されたＰ−ＳＲＳもしくはＡ−ＳＲＳを受信し、スケジューリングに用いる伝搬路情報やリンクアダプテーションのための受信品質を知る必要がある。しかしながら、マクロ基地局装置とピコ基地局装置のセルＩＤが異なる場合には、ピコ基地局装置は、スモールセルへの接続指示後にＲＲＣシグナリングによってＰ−ＳＲＳ、Ａ−ＳＲＳのパラメータセットを移動局装置に通知し、通知したパラメータセットに基づいて移動局装置が送信したＰ−ＳＲＳ、Ａ−ＳＲＳを受信する必要があった。そのため、マクロ基地局装置よりスモールセルへの接続指示が移動局装置へ送信されてから、ピコ基地局装置が移動局装置のスケジューリングを行うまでのオーバヘッドが増加する問題があった。【０００８】
本発明は上記の点に鑑みてなされたものであり、スモールセルへの接続指示からピコ基地局装置が移動局装置への無線リソース割当までに要するオーバヘッドを削減する基地局装置を提供する。
【課題を解決するための手段】
【０００９】
（１）本発明は上記の課題を解決するためになされたものであり、本発明の一態様は、移動局装置に制御情報を送信する第１のセルを構成する第１の基地局装置であって、前記第１のセル内に第２の基地局装置が構成する第２のセルが存在し、前記第１の基地局装置が前記第１のセル内の移動局装置に参照信号の送信の指示をする制御情報内に、前記第１の基地局装置と第２の基地局装置のいずれかに参照信号を送信することを指定する情報と、前記制御情報内で指示された基地局装置に参照信号の送信で用いる送信パラメータの情報を含み、前記移動局装置へ前記制御情報を通知する。【００１０】
（２）また、本発明の一態様は、上記の第１の基地局装置と第２の基地局装置のいずれかに参照信号を送信することを指定する情報としてセルＩＤを通知する。【００１１】
（３）また、本発明の一態様は、上記の第１の基地局装置と第２の基地局装置のいずれかに参照信号を送信することを指定する情報として搬送波周波数を通知する。【００１２】
（４）また、本発明の一態様は、上記の第１の基地局装置は、移動局装置に前記第１の基地局装置へ送信する参照信号のパラメータと第２の基地局装置へ送信する参照信号のパラメータの両方を予め通知する。【００１３】
（５）また、本発明の一態様は、上記の第１の基地局装置は、参照信号の送信指示する制御情報の種類により参照信号を送信する基地局装置を指定する。
【発明の効果】
【００１４】
本発明によれば、セル全体のスループット向上が可能となる。
【図面の簡単な説明】
【００１５】
【図１】第１の実施形態に係るセルラシステムの上り回線の概略図である。
【図２】第１の実施形態のシーケンス図である。
【図３】第１の実施形態に係るマクロ基地局装置ｅＮＢ１の構成の一例を示す概略ブロック図である。
【図４】第１の実施形態に係る移動局装置の構成の一例を示す概略ブロック図である。
【図５】第１の実施形態に係るピコ基地局装置ｅＮＢ２の構成の一例を示す概略ブロック図である。
【図６】第２の実施形態に係るマクロ基地局装置ｅＮＢ１の構成の一例を示す概略ブロック図である。
【図７】第２の実施形態に係る移動局装置の構成の一例を示す概略ブロック図である。
【図８】第３の実施形態に係るマクロ基地局装置ｅＮＢ１の構成の一例を示す概略ブロック図である。
【図９】第３の実施形態に係る移動局装置の構成の一例を示す概略ブロック図である。
【発明を実施するための形態】
【００１６】
以下、本発明の実施形態について図面を参照して説明する。以下の各実施形態では、データや参照信号の伝送を行う送信装置を移動局装置（ユーザ装置；ＵＥ）とし、データや参照信号を受信する受信装置を基地局装置（ｅＮＢ；ｅ−ＮｏｄｅＢ）とする。
【００１７】
（第１の実施形態）
図１は、本発明の第１の実施形態に係るセルラシステムの上り回線の概略図である。図１のセルラシステムでは、広いカバレッジ(セル半径が大きい)のマクロ基地局装置ｅＮＢ１が存在し、マクロ基地局装置ｅＮＢ１のセル内にセル半径が小さいスモールセル（図中の斜線の領域）を構成するピコ基地局装置ｅＮＢ２が存在し、いずれかの基地局装置へ接続する移動局装置ＵＥ１、ＵＥ２、ＵＥ３が存在する。ここで、マクロ基地局装置ｅＮＢ１とピコ基地局装置ｅＮＢ２はセルＩＤが異なる。セルＩＤは、物理セルＩＤ（ＰＣＩＤ：Ｐｈｙｓｉｃａｌ  Ｃｅｌｌ  ＩＤ）であっても仮想セルＩＤ（ＶＣＩＤ：Ｖｉｒｔｕａｌ  Ｃｅｌｌ  ＩＤ）であっても良い。同図では、移動局装置ＵＥ１、ＵＥ２、ＵＥ３がマクロ基地局装置ｅＮＢ１に接続している場合であるが、マクロ基地局装置ｅＮＢ１はオフロードの目的で移動局装置ＵＥ１、ＵＥ２をピコ基地局装置ｅＮＢ２へ接続指示を行うことができる。マクロ基地局装置ｅＮＢ１は、オフロードする移動局装置を決定するために、ピコ基地局装置ｅＮＢ２への接続指示の前に、オフロードの候補の移動局装置に対して、ピコ基地局装置用ｅＮＢ２のパラメータセットによるＡ−ＳＲＳ送信指示をすることができる。そのため、マクロ基地局装置ｅＮＢ１は、ピコ基地局装置ｅＮＢ２に接続指示を行う移動局装置を伝搬路特性に基づき適切に決定することできる。さらに、ピコ基地局装置ｅＮＢ２に接続指示からピコ基地局装置ｅＮＢ２が無線リソース割当までのオーバヘッドが削減されることができる。本明細書中では、ピコ基地局装置ｅＮＢ２が構成するスモールセルがマクロ基地局装置ｅＮＢ１の構成するセル（マクロセル）に含まれる場合のみについて記載しているが、スモールセルの一部がマクロセルに含まれる場合やスモールセルがマクロセルに含まれない場合に本発明を適用しても良い。
【００１８】
図２に本実施形態のシーケンス図を示す。まず、Ｓ１０１において、マクロ基地局装置ｅＮＢ１は、マクロ基地局装置ｅＮＢ１と接続する移動局装置に対してＲＲＣシグナリングで５種類のパラメータセットを移動局装置に通知する。Ｓ１０２において、マクロ基地局装置ｅＮＢ１はマクロ基地局装置用のパラメータセットでＡ−ＳＲＳの送信指示を移動局装置に通知する。Ｓ１０３において、移動局装置はパラメータセットに基づき、Ａ−ＳＲＳを送信する。マクロ基地局装置ｅＮＢ１は、複数の移動局装置に対してＳ１０１〜Ｓ１０３のステップにより送信されたＡ−ＳＲＳを受信し、伝搬路特性を把握することでデータ伝送の無線リソース割当を行う。マクロ基地局装置ｅＮＢ１は、オフロードなどの目的で一部の移動局装置をピコ基地局装置ｅＮＢ２へ接続させる場合、ピコ基地局装置ｅＮＢ２へ接続させる候補の移動局装置を選別する。Ｓ１０４において、マクロ基地局装置ｅＮＢ１は選別した移動局装置に対し、ピコ基地局装置用のパラメータセットでＡ−ＳＲＳの送信指示を通知する。さらに、Ｓ１０５において、マクロ基地局装置ｅＮＢ１はピコ基地局装置ｅＮＢ２に対して、ピコ基地局装置ｅＮＢ２にＡ−ＳＲＳを送信する移動局装置の情報と送信指示したパラメータセットの情報を通知する。Ｓ１０６において、移動局装置はパラメータセットに基づき、Ａ−ＳＲＳを送信する。Ｓ１０７において、マクロ基地局装置ｅＮＢ１は移動局装置に対してピコ基地局装置ｅＮＢ２への接続指示を通知する。ここで、接続とはデータ伝送を意味する。
【００１９】
図２の例では、Ｓ１０６で送信されたＡ−ＳＲＳによりピコ基地局装置ｅＮＢ２が推定した伝搬路特性はマクロ基地局装置ｅＮＢ１へ通知されていないが、通知しても良い。さらに、マクロ基地局装置ｅＮＢ１は、ピコ基地局装置ｅＮＢ２より複数の移動局装置の伝搬路特性が通知され、該複数の移動局装置の中からピコ基地局装置ｅＮＢ２への接続指示を行う移動局装置を選択しても良い。また、本例ではＳ１０７のピコ基地局装置ｅＮＢ２への接続指示は移動局装置のみに通知しているが、ピコ基地局装置ｅＮＢ２へ通知しても良いし、ピコ基地局装置ｅＮＢ２への接続指示を受信した移動局装置がピコ基地局装置ｅＮＢ２に対してＳＲ（Ｓｃｈｅｄｕｌｉｎｇ  Ｒｅｑｕｅｓｔ）を送信することでピコ基地局装置ｅＮＢ２に間接的に通知しても良い。
【００２０】
図３は、本実施形態に係るマクロ基地局装置ｅＮＢ１の構成の一例を示す概略ブロック図である。同図では、説明を簡単にするため、マクロ基地局装置ｅＮＢ１は、送信アンテナ、受信アンテナをそれぞれ１本としているが、複数のアンテナを有していても良い。また、マクロ基地局装置ｅＮＢ１は１つのアンテナで送信と受信を行う構成としても良い。マクロ基地局装置ｅＮＢ１は、ＵＥ情報管理部１０１で接続しているＵＥ情報が記憶しており、一部の移動局装置に対してピコ基地局装置ｅＮＢ２への接続指示を行う場合、ＵＥ情報をパラメータ決定部１０３へ出力する。セル識別子管理部１０２は、接続先の候補となるピコ基地局装置ｅＮＢ２のＰＣＩＤもしくはＶＣＩＤをパラメータ決定部１０３に出力する。パラメータ決定部１０３は、伝搬路推定部１１３より複数の移動局装置の伝搬路情報が入力され、伝搬路情報とＵＥ情報よりＡ−ＳＲＳのパラメータセットの一部にピコ基地局装置用のパラメータセットを含める移動局装置を選択する。パラメータ決定部１０３は、移動局装置毎にＡ−ＳＲＳのパラメータセットとして、サイクリックシフトの回転量、ＩＦＤＭのＣｏｍｂの位置、アンテナポート数、ＳＲＳ送信帯域幅、周波数位置の情報に加えて、セルＩＤ情報を決定する。例えば、５種類のパラメータセットに含まれるセルＩＤの一例を表１に示す。
【００２１】
【表１】
2014069599.tif 000003
【００２２】
ただし、ＣＩＤｍはマクロ基地局装置ｅＮＢ１のセルＩＤとし、ＣＩＤｐはピコ基地局装置ｅＮＢ２のセルＩＤとする。この例では、ＤＣＩフォーマット４のパターン１もしくは２でマクロ基地局装置ｅＮＢ１がＡ−ＳＲＳ送信指示を行う場合に、指示を受けた移動局装置はピコ基地局装置ｅＮＢ２のセルＩＤに基づきＡ−ＳＲＳの信号を生成する。また、マクロ基地局装置ｅＮＢ１がＤＣＩフォーマット４のパターン３もしくはその他のＤＣＩフォーマットでＡ−ＳＲＳ送信指示を行う場合に、指示を受けた移動局装置はマクロ基地局装置ｅＮＢ１のセルＩＤに基づきＡ−ＳＲＳの信号を生成する。
【００２３】
表１とは異なるパラメータセットの例として、ＤＣＩフォーマット４のパターン１〜３ではマクロ基地局装置ｅＮＢ１のセルＩＤとし、その他のＤＣＩフォーマットではピコ基地局装置ｅＮＢ２のセルＩＤとしても良い。この場合は、ＤＣＩフォーマットの種類によって、Ａ−ＳＲＳの送信先がマクロ基地局装置かピコ基地局装置かが決定される。
【００２４】
パラメータ決定部１０３は、決定したセルＩＤ、サイクリックシフトのサブキャリア間での位相回転量、ＩＦＤＭのＣｏｍｂの位置、アンテナポート数、ＳＲＳ送信帯域幅、周波数位置の情報を制御情報生成部１０５と送信処理部１０７に出力する。
【００２５】
一方、接続指示ＵＥ選別部１０４は、ピコ基地局装置ｅＮＢ２へ接続指示を行う候補の移動局装置を決定し、制御情報生成部１０５へ出力する。制御情報生成部１０５は、予めＲＲＣシグナリングで移動局装置に通知しているＡ−ＳＲＳの５つのパラメータセットがパラメータ決定部１０３から入力され、記憶している。制御情報生成部１０５は、接続指示ＵＥ選別部１０４よりピコ基地局装置ｅＮＢ２への接続を指示する候補の移動局装置の情報が入力され、該当する移動局装置のＡ−ＳＲＳの送信指示を行う場合にはピコ基地局装置用のパラメータセットを指定するＤＣＩフォーマットを送信する。その他の移動局装置にマクロ基地局装置ｅＮＢ１がＡ−ＳＲＳの送信指示を行う場合には、マクロ基地局装置ｅＮＢ１はマクロ基地局装置用のパラメータセットを指定するＤＣＩフォーマットを送信する。表１の例では、ピコ基地局装置用のパラメータセットでＡ−ＳＲＳを送信するよう指示するＵＥに対して、マクロ基地局装置ｅＮＢ１はＤＣＩフォーマット４のパターン１もしくは２で指示を通知し、マクロ基地局装置用のパラメータセットでＡ−ＳＲＳを送信するよう指示するＵＥに対して、マクロ基地局装置ｅＮＢ１はＤＣＩフォーマット４のパターン３で指示を通知する。ただし、これは一例であり、マクロ基地局装置ｅＮＢ１は異なるＤＣＩフォーマットのパラメータセットを用いて通知しても良い。
【００２６】
制御情報生成部１０５は、Ａ−ＳＲＳの送信指示に加え、その他の制御情報を用いて、ＰＤＣＣＨ（Ｐｈｙｓｉｃａｌ  Ｄｏｗｎｌｉｎｋ  Ｃｏｎｔｒｏｌ  Ｃｈａｎｎｅｌ）で送信する制御情報データを生成する。ＤＣＩフォーマット４の場合は、その他の制御情報として含まれる情報は、周波数リソース割当やＭＣＳ（Ｍｏｄｕｌａｔｉｏｎ  ａｎｄ  Ｃｏｄｉｎｇ  Ｓｃｈｅｍｅｓ）、ＴＰＣ（Ｔｒａｎｓｍｉｔ  Ｐｏｗｅｒ  Ｃｏｎｔｒｏｌ）などがある。制御情報生成部１０５は、生成した制御情報信号を送信処理部１０７と基地局間通信部１０６へ出力する。基地局間通信部１０６は、ピコ基地局装置用のパラメータセットでのＡ−ＳＲＳの送信指示をした移動局装置の情報とパラメータセットをピコ基地局装置ｅＮＢ２へ通知する。
【００２７】
送信処理部１０７は、ＲＲＣシグナリングで通知する他の情報や下り回線のデータ、制御情報のＰＤＣＣＨなどと多重し、複数のＯＦＤＭ（Ｏｒｔｈｇｏｎａｌ  Ｆｒｅｑｕｅｎｃｙ  Ｄｉｖｉｓｉｏｎ  Ｍｕｌｔｉｐｌｅｘｉｎｇ）信号を生成することでサブフレームを構成し、送信部１０８へ出力する。送信部１０８は、入力されたサブフレーム化された信号に対し、ＣＰ（Ｃｙｃｌｉｃ  Ｐｒｅｆｉｘ；サイクリックプレフィックス）を挿入する。送信部１０８はＣＰを挿入した信号を、Ｄ／Ａ（Ｄｉｇｉｔａｌ／Ａｎａｌｏｇ；ディジタル／アナログ）変換でアナログの信号に変換し、変換後の信号を無線周波数にアップコンバートする。送信部１０８はアップコンバートした信号を、ＰＡ（Ｐｏｗｅｒ  Ａｍｐｌｉｆｉｅｒ）で増幅し、送信アンテナ１０９を介して送信する。
【００２８】
マクロ基地局装置ｅＮＢ１は、受信アンテナ１１０でＡ−ＳＲＳもしくはＰ−ＳＲＳの参照信号とデータ信号が多重されている信号を受信し、受信部１１１に入力する。受信部１１１は、受信信号をベースバンド周波数にダウンコンバートし、ダウンコンバートした信号に対してＡ／Ｄ（Ａｎａｌｏｇ／Ｄｉｇｉｔａｌ；アナログ／ディジタル）変換を行うことでディジタル信号を生成する。さらに、受信部１１１は、ディジタル信号からＣＰを除去した信号を受信処理部１１２へ出力する。受信処理部１１２は、データ信号列と参照信号を分離し、参照信号を伝搬路推定部１１３へ出力する。伝搬路推定部１１３は、受信した参照信号より伝搬路特性（周波数応答）を推定し、パラメータ決定部１０３に出力する。
【００２９】
図４は、本実施形態に係る移動局装置の構成の一例を示す概略ブロック図である。同図では、受信アンテナを１本としているが、複数有していても良い。移動局装置は、受信アンテナ２００でマクロ基地局装置ｅＮＢ１もしくはピコ基地局装置ｅＮＢ２より送信された信号を受信し、受信部２０１に入力する。受信部２０１は、受信した信号をベースバンド周波数にダウンコンバートし、ダウンコンバートした信号に対してＡ／Ｄ変換を行うことでディジタル信号を生成する。受信部２０１は、ディジタル信号からＣＰを除去した信号を受信処理部２０２に出力する。受信処理部２０２は、サブフレーム化されている複数のＯＦＤＭ信号からＲＲＣシグナリングで通知されたＡ−ＳＲＳのパラメータセットを参照信号パラメータ取得部２０３へ出力し、ＤＣＩフォーマットを制御情報フォーマット識別部２０５へ出力する。ここで、ＤＣＩフォーマットは伝送モードによって使用されるフォーマットが予め決まっており、移動局装置はサーチスペースの複数の候補に対して使用されるフォーマットのデータサイズでブラインドデコーディングすることで制御情報を得る。参照信号パラメータ取得部２０３は、受信したＡ−ＳＲＳのパラメータセットをパラメータ記憶部２０４へ出力する。
【００３０】
制御情報フォーマット識別部２０５は、ブラインドデコーディングにより得られたＤＣＩフォーマットが入力され、データ長によりフォーマットを識別する。ただし、一部のＤＣＩフォーマットは同一のサイズのものがあり、そのＤＣＩフォーマットはフォーマットの識別フラグでフォーマットを判別される。制御情報フォーマット識別部２０５は、受信したフォーマットとＡ−ＳＲＳの送信指示を示すビットを参照信号送信指示識別部２０６に出力する。
【００３１】
参照信号送信指示識別部２０６は、入力されたＡ−ＳＲＳの送信指示を示すビットがＡ−ＳＲＳの送信要求の場合、受信したフォーマット情報とＡ−ＳＲＳの送信指示のビットから使用するパラメータセットを判別し、指定されたパラメータセットとＡ−ＳＲＳの送信要求をパラメータ記憶部２０４に出力する。
【００３２】
パラメータ記憶部２０４は、通知されたパラメータセットを記憶しており、参照信号送信指示識別部２０６よりＡ−ＳＲＳの送信要求と指定されたパラメータセットが入力された場合に、指定されたパラメータセットの情報を参照信号生成部２０７と送信信号生成部２０８に出力する。参照信号生成部２０７は、指定されたパラメータに含まれるセルＩＤにより参照信号の系列を生成し、送信信号生成部２０８に出力する。送信信号生成部２０８は、参照信号が入力され、パラメータ記憶部２０４により指定されたサイクリックシフトの回転量、ＩＦＤＭのＣｏｍｂの位置、アンテナポート数、ＳＲＳ送信帯域幅、周波数位置の情報に基づいて送信参照信号を生成し、送信処理部２０９に出力する。送信処理部２０９は、送信参照信号と送信データ信号が入力され、これらの信号をサブフレーム化することで送信信号とし、送信部２１１に出力する。送信部２１１は、入力されたサブフレーム化された信号に対してＣＰを挿入し、Ｄ／Ａ変換でアナログの信号に変換し、変換後の信号を無線周波数にアップコンバートする。送信部２１１はアップコンバートした信号を、ＰＡで増幅し、送信アンテナ２１０−１〜２１０−Ｎｔを介して送信する。ここで、アンテナポート数は使用するパラメータセットの情報に基づいて決定される。
【００３３】
図５は、本実施形態に係るピコ基地局装置ｅＮＢ２の構成の一例を示す概略ブロック図である。同図ではピコ基地局装置ｅＮＢ２の受信アンテナ本数を１本としているが、複数有していても良い。ピコ基地局装置ｅＮＢ２では、マクロ基地局装置ｅＮＢ１よりピコ基地局装置用のパラメータセットでのＡ−ＳＲＳの送信指示をした移動局装置の情報とその移動局装置が使用するパラメータセットの情報が基地局間通信部３０３に入力される。基地局間通信部３０３は、通知された情報を参照信号受信部３０５へ出力する。ピコ基地局装置ｅＮＢ２は、受信アンテナ３０１で移動局装置から送信された信号を受信し、受信部３０２に出力する。受信部３０２は、受信部１１１と同様の処理を行い、ＣＰ除去後のディジタル信号を受信処理部３０４に出力する。受信処理部３０４は、データ信号列と参照信号を分離し、参照信号を参照信号受信部３０５に出力する。参照信号受信部３０５は、基地局間通信部３０３より入力されたパラメータセットの情報に基づき、Ａ−ＳＲＳを抽出し、伝搬路推定部３０６に出力する。伝搬路推定部３０６は、入力されたＡ−ＳＲＳにより伝搬路特性を得る。
【００３４】
本実施形態では、マクロ基地局装置ｅＮＢ１がピコ基地局装置用のパラメータセットでＡ−ＳＲＳの送信指示を出す際に、パラメータセットの情報をピコ基地局装置ｅＮＢ２へ通知する例を示したが、予めピコ基地局装置用のパラメータセットを通知しておいても良い。
【００３５】
以上により、マクロ基地局装置ｅＮＢ１に接続している移動局装置がピコ基地局装置ｅＮＢ２にＡ−ＳＲＳを送信することが可能となり、ピコ基地局装置ｅＮＢ２は接続指示を行う候補の移動局装置の伝搬路特性を把握することができる。そのため、移動局装置とピコ基地局装置間の伝搬路特性が良好な移動局装置に対して、ピコ基地局装置ｅＮＢ２への接続指示を行うことができる。また、ピコ基地局装置ｅＮＢ２への接続指示の前に伝搬路特性をピコ基地局装置ｅＮＢ２が把握することができるため、ピコ基地局装置ｅＮＢ２への接続指示からピコ基地局装置ｅＮＢ２が無線リソース割当に要するオーバヘッドが削減されることができる。
【００３６】
（第２の実施形態）
本実施形態では、マクロ基地局装置ｅＮＢ１とピコ基地局装置ｅＮＢ２のセルＩＤは同じであり、使用する搬送波周波数が違う場合について説明する。例えば、マクロ基地局装置ｅＮＢ１が２ＧＨｚ帯を使用し、ピコ基地局装置ｅＮＢ２が３．５ＧＨｚ帯を使用する場合などである。
【００３７】
本実施形態のシーケンス図は前実施形態と同様であり、図２となるため説明を省略する。本実施形態に係るマクロ基地局装置ｅＮＢ１の構成の一例を示す概略ブロック図を図６に示す。図３と比較すると、セル識別子管理部１０２が搬送波周波数管理部４０２になり、パラメータ決定部１０３がパラメータ決定部４０３になっている。その他の構成は同じであり、前実施形態と同様の処理に関しては説明を省略する。搬送波周波数管理部４０２は、接続先の候補となるピコ基地局装置ｅＮＢ２が使用する搬送波周波数の情報を保持しており、この情報をパラメータ決定部４０３に出力する。パラメータ決定部４０３は、伝搬路推定部１１３より複数の移動局装置の伝搬路情報が入力され、伝搬路情報とＵＥ情報よりＡ−ＳＲＳのパラメータセットの一部にピコ基地局装置用のパラメータセットを含める移動局装置を選択する。パラメータ決定部４０３は、移動局装置毎にＡ−ＳＲＳのパラメータセットとして、サイクリックシフトの回転量、ＩＦＤＭのＣｏｍｂの位置、アンテナポート数、ＳＲＳ送信帯域幅、周波数位置の情報に加えて、搬送波周波数の情報を決定する。例えば、５種類のパラメータセットに含まれる搬送波周波数の情報の一例を表２に示す。
【００３８】
【表２】
2014069599.tif 000004
【００３９】
ただし、Ｆ１はマクロ基地局装置ｅＮＢ１の搬送波周波数とし、Ｆ２はピコ基地局装置ｅＮＢ２の搬送波周波数とする。この例では、マクロ基地局装置ｅＮＢ１がＤＣＩフォーマット４のパターン１でＡ−ＳＲＳ送信指示を行う場合に、移動局装置はピコ基地局装置ｅＮＢ２の搬送波周波数でＡ−ＳＲＳの信号を送信する。また、ＤＣＩフォーマット４のパターン２もしくは３か、マクロ基地局装置ｅＮＢ１がその他のＤＣＩフォーマットでＡ−ＳＲＳ送信指示を行う場合には、移動局装置はマクロ基地局装置ｅＮＢ１の搬送波周波数でＡ−ＳＲＳの信号を送信する。
【００４０】
図７は、本実施形態に係る移動局装置の構成の一例を示す概略ブロック図である。図７は、図４と比較するとパラメータ記憶部５０４と送信部５１１が異なる。その他の構成は同じであり、前実施形態と同様の処理に関しては説明を省略する。パラメータ記憶部５０４は、通知されたパラメータセットを記憶しており、参照信号送信指示識別部２０６よりＡ−ＳＲＳの送信要求と指定されたパラメータセットが入力された場合に、指定されたパラメータセットに含まれる搬送波周波数の情報を送信部５１１に出力し、その他のパラメータセットの情報を送信信号生成部２０８に出力する。送信部５１１は、サブフレーム化された信号に対してＣＰを挿入し、Ｄ／Ａ変換でアナログの信号に変換し、入力された搬送波周波数の情報によりアップコンバートする。送信部５１１はアップコンバートした信号を、ＰＡで増幅し、送信アンテナ２１０−１〜２１０−Ｎｔを介して送信する。ここで、アンテナポート数は使用するパラメータセットの情報に基づいて決定される。
【００４１】
本実施形態に係るピコ基地局装置ｅＮＢ２の構成は前実施形態と同様であり、図５となるため説明を省略する。
【００４２】
以上により、マクロ基地局装置ｅＮＢ１に接続している移動局装置がピコ基地局装置ｅＮＢ２にＡ−ＳＲＳを送信することが可能となり、ピコ基地局装置ｅＮＢ２は接続を指示する候補の移動局装置の伝搬路特性を把握することができる。そのため、マクロ基地局装置ｅＮＢ１は移動局装置とピコ基地局装置間の伝搬路特性が良好な移動局装置に対して、ピコ基地局装置ｅＮＢ２への接続を指示することができる。また、ピコ基地局装置ｅＮＢ２への接続指示の前に伝搬路特性を把握することができるため、ピコ基地局装置ｅＮＢ２への接続指示からピコ基地局装置ｅＮＢ２が無線リソース割当に要するオーバヘッドが削減されることができる。
【００４３】
（第３の実施形態）
本実施形態では、マクロ基地局装置ｅＮＢ１とピコ基地局装置ｅＮＢ２のセルＩＤと、使用する搬送波周波数の両方が違う場合について説明する。
【００４４】
本実施形態のシーケンス図は前実施形態と同様であり、図２となるため説明を省略する。本実施形態に係るマクロ基地局装置ｅＮＢ１の構成の一例を示す概略ブロック図を図８に示す。図６と比較すると、搬送波周波数管理部４０２がピコセル情報管理部６０２になり、パラメータ決定部４０３がパラメータ決定部６０３になっている。その他の構成は同じであり、前実施形態と同様の処理に関しては説明を省略する。ピコセル情報管理部６０２は、接続先の候補となるピコ基地局装置ｅＮＢ２が使用する搬送波周波数とＰＣＩＤもしくはＶＣＩＤのいずれかの情報を保持しており、この情報をパラメータ決定部６０３に出力する。パラメータ決定部６０３は、伝搬路推定部１１３より複数の移動局装置の伝搬路情報が入力され、伝搬路情報とＵＥ情報よりＡ−ＳＲＳのパラメータセットの一部にピコ基地局装置用のパラメータセットを含める移動局装置を選択する。パラメータ決定部６０３は、移動局装置毎にＡ−ＳＲＳのパラメータセットとして、サイクリックシフトの回転量、ＩＦＤＭのＣｏｍｂの位置、アンテナポート数、ＳＲＳ送信帯域幅、周波数位置の情報に加えて、セルＩＤと搬送波周波数の情報を決定する。例えば、５種類のパラメータセットに含まれる搬送波周波数の情報の一例を表３に示す。
【００４５】
【表３】
2014069599.tif 000005
【００４６】
ただし、Ｆ１はマクロ基地局装置ｅＮＢ１の搬送波周波数とし、Ｆ２はピコ基地局装置ｅＮＢ２の搬送波周波数とする。また、ＣＩＤｍはマクロ基地局装置ｅＮＢ１のセルＩＤとし、ＣＩＤｐはピコ基地局装置ｅＮＢ２のセルＩＤとする。この例では、ＤＣＩフォーマット４のパターン１でＡ−ＳＲＳ送信指示を行う場合には、移動局装置はピコ基地局装置用のパラメータセットでＡ−ＳＲＳの信号を送信する。また、ＤＣＩフォーマット４のパターン２もしくは３か、その他のＤＣＩフォーマットでＡ−ＳＲＳ送信指示を行う場合には、移動局装置はマクロ基地局装置用のパラメータセットでＡ−ＳＲＳの信号を送信する。
【００４７】
図９は、本実施形態に係る移動局装置の構成の一例を示す概略ブロック図である。図９は、図７と比較するとパラメータ記憶部７０４のみが異なる。その他の構成は同じであり、前実施形態と同様の処理に関しては説明を省略する。パラメータ記憶部７０４は、通知されたパラメータセットを記憶しており、参照信号送信指示識別部２０６よりＡ−ＳＲＳの送信要求と指定されたパラメータセットが入力された場合に、指定されたパラメータセットに含まれる搬送波周波数の情報を送信部５１１に出力し、セルＩＤの情報を参照信号生成部２０７に出力し、その他のパラメータセットの情報を送信信号生成部２０８に出力する。その他の処理は、前実施形態と同様のため、説明を省略する。
【００４８】
本実施形態に係るピコ基地局装置ｅＮＢ２の構成は前実施形態と同様であり、図５となるため説明を省略する。
【００４９】
実施形態１〜３では、ＰＤＣＣＨのフォーマットもしくは、ＰＤＣＣＨのフォーマット内に含まれるＡ−ＳＲＳのパラメータセットを示す情報により、Ａ−ＳＲＳを送信する基地局装置を決定する方法を示した。本発明では、マクロ基地局装置はＡ−ＳＲＳを送信する基地局装置の決定方法を制御情報の通知方法によって指定しても良く、Ｅ−ＰＤＣＣＨ（Ｅｎｈａｎｃｅｄ  ＰＤＣＣＨ）でＡ−ＳＲＳの送信指示を通知するか、ＰＤＣＣＨでＡ−ＳＲＳの送信指示を通知するかで指定しても良い。具体的には、ＰＤＣＣＨでＡ−ＳＲＳの送信指示した場合は、移動局装置はピコ基地局装置へＡ−ＳＲＳを送信するように指示され、Ｅ−ＰＤＣＣＨでＡ−ＳＲＳの送信指示した場合は、移動局装置はマクロ基地局装置へＡ−ＳＲＳを送信するように指示される。これは、マクロ基地局装置はＥ−ＰＤＣＣＨをサポートする移動局装置に対してスモールセルへのＡ−ＳＲＳの送信指示が可能であり、Ｅ−ＰＤＣＣＨをサポートしない移動局装置、例えばＲｅｌ.１０の移動局装置などは、従来通りマクロ基地局装置へのＡ−ＳＲＳの送信指示が可能となり、後方互換性を考慮した制御が可能となる。
【００５０】
以上により、マクロ基地局装置ｅＮＢ１に接続している移動局装置がピコ基地局装置ｅＮＢ２にＡ−ＳＲＳを送信することが可能となり、ピコ基地局装置ｅＮＢ２は接続を指示する候補の移動局装置の伝搬路特性を把握することができる。そのため、移動局装置とピコ基地局装置間の伝搬路特性が良好な移動局装置に対して、マクロ基地局装置ｅＮＢ１はピコ基地局装置ｅＮＢ２への接続を指示することができる。また、ピコ基地局装置ｅＮＢ２への接続指示の前に伝搬路特性を把握することができるため、ピコ基地局装置ｅＮＢ２への接続指示からピコ基地局装置ｅＮＢ２が無線リソース割当に要するオーバヘッドが削減されることができる。
【００５１】
なお、上述した実施形態に係るマクロ基地局装置ｅＮＢ１、ピコ基地局装置ｅＮＢ２、移動局装置ＵＥの一部、をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、マクロ基地局装置ｅＮＢ１、ピコ基地局装置ｅＮＢ２又は移動局装置ＵＥに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００５２】
また、上述した実施形態に係るマクロ基地局装置ｅＮＢ１、ピコ基地局装置ｅＮＢ２又は移動局装置ＵＥの一部、または全部を、ＬＳＩ（Ｌａｒｇｅ  Ｓｃａｌｅ  Ｉｎｔｅｇｒａｔｉｏｎ）等の集積回路として実現しても良い。マクロ基地局装置ｅＮＢ１、ピコ基地局装置ｅＮＢ２又は移動局装置ＵＥの各機能ブロックは個別にプロセッサ化しても良いし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５３】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００５４】
ｅＮＢ１…マクロ基地局装置、ｅＮＢ２…ピコ基地局装置、ＵＥ１〜ＵＥ３…移動局装置、１０１…ＵＥ情報管理部、１０２…セル識別子管理部、１０３…パラメータ決定部、１０４…接続指示ＵＥ選別部、１０５…制御情報生成部、１０６…基地局間通信部、１０７…送信処理部、１０８…送信部、１０９…送信アンテナ、１１０…受信アンテナ、１１１…受信部、１１２…受信処理部、１１３…伝搬路推定部、２００…受信アンテナ、２０１…受信部、２０２…受信処理部、２０３…参照信号パラメータ取得部、２０４…パラメータ記憶部、２０５…制御情報フォーマット識別部、２０６…参照信号送信指示識別部、２０７…参照信号生成部、２０８…送信信号生成部、２０９…送信処理部、２１１…送信部、２１０−１〜２１０−Ｎｔ…送信アンテナ、３０１…受信アンテナ、３０２…受信部、３０３…基地局間通信部、３０４…受信処理部、３０５…参照信号受信部、３０６…伝搬路推定部、４０２…搬送周波数管理部、４０３…パラメータ決定部、５０４…パラメータ記憶部、５１１…送信部、６０２…ピコセル情報管理部、６０３…パラメータ決定部、７０４…パラメータ記憶部
【図１】
2014069599.tif 000006
【図２】
2014069599.tif 000007
【図３】
2014069599.tif 000008
【図４】
2014069599.tif 000009
【図５】
2014069599.tif 000010
【図６】
2014069599.tif 000011
【図７】
2014069599.tif 000012
【図８】
2014069599.tif 000013
【図９】
2014069599.tif 000014
【国際調査報告】
2014069599.tif 000015
2014069599.tif 000016
2014069599.tif 000017
2014069599.tif 000018